(57)【要約】【課題】カーテンを実際に装着しようとする場所に合わせて、購入しようとするカーテンの試着が可能なカーテン試着装置を提供する。【解決手段】貨物自動車で搬送可能な大きさのフレーム１１と、フレーム１１に戸枠１９を介して取付けられているガラス戸２４、２５と、ガラス戸２４、２５の少なくとも片側に配置されている交換可能な壁板部材２９、３０と、戸枠１９の正面側下部に交換可能に配置されている床板材３８と、ガラス戸２４、２５の正面側上部に設けられているカーテンレール３２〜３４とを有し、更に必要な場合には、ガラス戸２４、２５の背景も交換できる。【選択図】        図１
2004215907.tif 000002
【特許請求の範囲】
【請求項１】
貨物自動車で搬送可能な大きさのフレームと、該フレームに戸枠を介して取付けられているガラス戸と、前記ガラス戸の少なくとも片側に配置されている交換可能な壁板部材と、前記戸枠の正面側下部に交換可能に配置されている床板材と、前記ガラス戸の正面側上部に設けられているカーテンレールとを有することを特徴とするカーテン試着装置。
【請求項２】
請求項１記載のカーテン試着装置において、前記ガラス戸の背面側に背景シーンが設けられていると共に、更に該背景シーンを照らす照明手段が設けられていることを特徴とするカーテン試着装置。
【請求項３】
請求項２記載のカーテン試着装置において、前記背景シーンは交換可能に配置されていると共に、前記照明手段は、前記背景シーンと前記ガラス戸の中間に設けられた照明灯からなることを特徴とするカーテン試着装置。
【発明の詳細な説明】
【０００１】
【発明の属する技術分野】
本発明は、カーテンショップや百貨店等のカーテン売場等で使用されるカーテン試着装置に関する。
【０００２】
【従来の技術】
従来、カーテン等を購入する場合には、カーテンショップ等に行って、購入する人がカーテンの取付け場所等を想像しながら、カーテンの模様や生地を選択していた。
また、多種類のカーテンをサンプルとして収納し、更に必要な場合には展示することもできる装置が例えば、特許文献１において開示されている。
【０００３】
【特許文献１】
特開２００１−８７１０１号公報（図２）
【０００４】
【発明が解決しようとする課題】
しかしながら、いずれの場合も、実際にカーテンを装着しようとする場所を再現してカーテンを選択するものではないので、実際にカーテンを購入して、持ち帰って所定の場所に装着してみると、周囲の壁や床の色彩、場合によっては周囲の風景と調和しない等の問題がある。
一方、特許文献１に記載の装置においては、カーテンの一つ一つを吟味することは可能であるが、実際の装着状態に合わせてカーテンを試着することはできず、結果として実際にカーテンを装着した場合に周囲の環境と合わないという問題があった。
本発明はかかる事情に鑑みてなされたもので、カーテンを実際に装着しようとする場所に合わせて、購入しようとするカーテンの試着が可能なカーテン試着装置を提供することを目的とする。
【０００５】
【課題を解決するための手段】
前記目的に沿う第１の発明に係るカーテン試着装置は、貨物自動車で搬送可能な大きさのフレームと、該フレームに戸枠を介して取付けられているガラス戸と、前記ガラス戸の少なくとも片側に配置されている交換可能な壁板部材と、前記戸枠の正面側下部に交換可能に配置されている床板材と、前記ガラス戸の正面側上部に設けられているカーテンレールとを有する。これによって、壁板部材及び床板材を実際の使用環境に合わせて交換することができる。
【０００６】
第２の発明に係るカーテン試着装置は、第１の発明に係るカーテン試着装置において、前記ガラス戸の背面側に背景シーンが設けられていると共に、更に該背景シーンを照らす照明手段が設けられている。これによって、外の風景等も考慮してカーテンを選択できる。
そして、第３の発明に係るカーテン試着装置は、第２の発明に係るカーテン試着装置において、前記背景シーンは交換可能に配置されていると共に、前記照明手段は、前記背景シーンと前記ガラス戸の中間に設けられた照明灯からなる。これによって、更に外の風景を実際に近い風景に交換してカーテンを選択することができる。
【０００７】
【発明の実施の形態】
続いて、添付した図面を参照しつつ、本発明を具体化した実施の形態につき説明し、本発明の理解に供する。
図１は本発明の一実施の形態に係るカーテン試着装置の要部断面図、図２は同正面図、図３は同側面図である。
【０００８】
図１〜図３に示すように、本発明の一実施の形態に係るカーテン試着装置１０はこの装置の外形を実質的に形成するフレーム１１を有している。フレーム１１は、主壁部材１２と、主壁部材１２の両側に設けられる側壁部材１３、１４と、主壁部材１２及び側壁部材１３、１４の下部を連結する床部材１５と、主壁部材１２及び側壁部材１３、１４の上部を連結する天井部材１６とを有し、前面開放の箱形となっている。フレーム１１を構成するこれらの主壁部材１２、側壁部材１３、１４、床部材１５及び天井部材１６は、アルミ骨材（例えば、アルミサッシ）や軽量鉄骨等で一体的に構成し、その表面を比較的薄い合板で覆うのが好ましく、これによって一体構造で十分強度を有するカーテン試着装置１０を提供できる。なお、主壁部材１２、側壁部材１３、１４、床部材１５及び天井部材１６を、木材（例えば、柱、梁、板）を組み合わせて作ることもでき、更に場合によっては、これらとアルミ材や鉄材等の金属材を組み合わせて構成することもできる。
【０００９】
主壁部材１２の前面には、背景シーン１７を交換可能に収納する背景シーン収納部１８が設けられている。この実施の形態では、背景シーン１７は薄い合板に記載された絵画や、薄い合板に貼着された紙に記載された絵画によって構成され、上下に溝を有し側部の一方又は両方がスリット状の差し入れ口となっている背景シーン収納部１８に収納されている。背景シーン収納部１８の前面はガラス張りとなっていてもよいし、単なる開放となっていてもよく、この部分から背景シーン１７を観察できる。
なお、この実施の形態においては、背景シーン１７は交換可能としたが、単なるクロスのみを貼ってもよいし、適当な風景等を記載したクロスや紙を貼ってもよい。この場合、背景シーンは交換できないが、交換する場合には一旦前の背景シーンを剥がす又はその上から別の背景シーンを貼ってもよい。
【００１０】
主壁部材１２の正面から一定の距離（例えば、８０〜１５０ｍｍ）離して戸枠１９が設けられている。この戸枠１９はアルミサッシからなって、それぞれガイドレールが設けられている上枠材２０及び下枠材２１とその両端に固定されている側枠材２２、２３とを有し、戸枠１９には２枚の引き戸からなるガラス戸２４、２５が設けられている。ガラス戸２４、２５もアニミニウム製の枠内にガラス板が収納される通常のガラス戸から構成されている。なお、側枠材２２、２３は省略することも可能であり、この場合は、上枠材２０及び下枠材２１を側壁部材１３、１４のいずれか一方まで延長し、必要によってガラス戸２４、２５を交換することができるようにしてもよい。
戸枠１９の下端は床部材１５上に固定され、戸枠１９の上端は断面Ｌ字状の支持部材２６を介して天井部材１６に連結され、戸枠１９が上下で強固に支持されている。
【００１１】
主壁部材１２と支持部材２６との間には照明手段である照明灯の一例である蛍光灯２７が設けられ、主壁部材１２の正面側に設けられている背景シーン１７を斜め上から照明している。蛍光灯２７は、このカーテン試着装置１０の正面側から見えないのが好ましいので、正面側に設けられている支持部材２６によって隠されている。なお、蛍光灯２７は天井部材１６に取付けられているが、支持部材２６や主壁部材１２に固定してもよい。
戸枠１９の両側には、壁板部材２９、３０が設けられている。この壁板部材２９、３０はクロスパネルからなって、しかも、上下にはガイド溝が設けられ、壁板部材２９は図２において左方向に側壁部材１３を貫通して引出し可能となっており、壁板部材３０は図２において右方向に側壁部材１４を貫通して引出し可能となっている。このように、壁板部材２９、３０を交換可能に配置することによって、壁板部材２９、３０の模様を変えることができる。
なお、戸枠１９の上枠材２０及び下枠材２１を両側に延長し、この上枠材２０及び下枠材２１に沿って、壁板部材２９、３０を出し入れするようにしてもよい。
【００１２】
天井部材１６は主壁部材１２から正面側に約５０〜７０ｃｍ程度突出し、その最前端には、垂直方向に隠し板３１が設けられている。隠し板３１の下端の高さは、戸枠１９の上枠材２０の位置と同一かあるいは５〜１５ｃｍ程度上枠材２０より下位置にある。これによって、正面側の見栄を向上させている。
隠し板３１と支持部材２６との間には、複数本（この実施の形態では３本）のカーテンレール３２〜３４が設けられ、複数種類のカーテン３５〜３７が開閉移動可能に装着できるようになっている。なお、戸枠１９の高さは約１７０〜１８０ｃｍあって、それに対応する長さのカーテン３５〜３７が試着できるようになっている。
【００１３】
戸枠１９から正面側の床部材１５の表面には、床板材３８がスライド移動可能に設けられ、正面側に床板材３８を引き出すことによって、別の床板材３８と交換できるようになっている。
以上の構成となって、必要に応じて、床板材３８、壁板部材２９、３０、背景シーン１７、及びカーテン３５〜３７は交換可能となっている。なお、全体の大ききは、幅が１９８０ｍｍ、高さが２１７０ｍｍ、奥行きが６７０ｍｍ程度となって、組み立てた状態で貨物自動車に搭載できる大きさとなっている。
【００１４】
従って、このカーテン試着装置１０を使用する場合には、約１９００ｍｍ間隔で支柱３９、４０を部屋の床面（ＧＬ）４１から天井面４２に向けて配置し、この支柱３９、４０にカーテン試着装置１０を取付ける。この取付けはボルトやナット等の金具を用いて緊結してもよいが、紐等でカーテン試着装置１０を支柱３９、４０に固定してもよい。
床板材３８、壁板部材２９、３０、背景シーン１７、ガラス戸２４、２５及びカーテン３５〜３７は交換可能となっているので、自宅の様子にこれらを合わせて、カーテン３５〜３７を試着することによって、カーテン３５〜３７のいずれを選択するかを決定できる。
そして、カーテン３５〜３７の展示が終了した場合には、カーテン試着装置１０を支柱３９、４０から外して他の場所に移動することもできる。
【００１５】
前記実施の形態においては、理解を容易にするため、実際の寸法を用いて説明したが、本発明の要旨を変更しない範囲で、その寸法を変更することもできる。
また、この実施の形態においては、実際のカーテンのサイズに合わせて全体の寸法を決めたが、ミニチュアサイズのカーテン（例えば、２／３〜１／４）を用意し、全体の寸法をこのミニチュアサイズのカーテンに設定して小型化することもできる。
また、フレーム１１の底部に例えば、ブレーキ付きのキャスターを設けることもでき、これによって、全体を容易に移動させることができる。
隠し板３１はこの実施の形態においては、天井部材１６に固定されているが、隠し板３１を交換可能に天井部材１６に取付けてもよい。この場合、隠し板３１の正面側には、壁板部材２９、３０と調和の取れた模様を記載するのが好ましい。隠し板３１を天井部材１６に交換可能に取付ける方法には、ねじやレール、クランプ機構等の方法がある。
【００１６】
【発明の効果】
請求項１〜３記載のカーテン試着装置は、貨物自動車で搬送可能な大きさのフレームと、フレームに戸枠を介して取付けられているガラス戸と、ガラス戸の少なくとも片側に配置されている交換可能な壁板部材と、戸枠の正面側下部に交換可能に配置されている床板材と、ガラス戸の正面側上部に設けられているカーテンレールとを有しているので、壁板部材及び床板材を実際の使用環境に合わせて交換することができ、これによって、実際のカーテンの使用状態を再現することができ、カーテンの選択をより的確に行うことができる。
全体が貨物自動車に搬送可能な大きさとなっているので、組み立てた状態でカーテン試着装置を運ぶことができ、カーテン試着装置の設置や移動がより簡単になる。
【００１７】
特に、請求項２記載のカーテン試着装置は、ガラス戸の背面側に背景シーンが設けられていると共に、更に背景シーンを照らす照明手段が設けられている。これによって、室内のデザインだけでなく、外の風景等も考慮してカーテンを選択できる。
そして、請求項３記載のカーテン試着装置は、背景シーンは交換可能に配置されていると共に、照明手段は、背景シーンとガラス戸の中間に設けられた照明灯からなるので、更に、外の風景を実際に近い風景に交換してカーテンを選択することができる。
【図面の簡単な説明】
【図１】本発明の一実施の形態に係るカーテン試着装置の要部断面図である。
【図２】同正面図である。
【図３】同側面図である。
【符号の説明】
１０：カーテン試着装置、１１：フレーム、１２：主壁部材、１３、１４：側壁部材、１５：床部材、１６：天井部材、１７：背景シーン、１８：背景シーン収納部、１９：戸枠、２０：上枠材、２１：下枠材、２２、２３：側枠材、２４、２５：ガラス戸、２６：支持部材、２７：蛍光灯、２９、３０：壁板部材、３１：隠し板、３２〜３４：カーテンレール、３５〜３７：カーテン、３８：床板材、３９、４０：支柱、４１：床面、４２：天井面
【図１】
2004215907.tif 000003
【図２】
2004215907.tif 000004
【図３】
2004215907.tif 000005